(57)【要約】【課題】釣り針とハリスとを合わせた全体の長さを一目で判別できる釣り針の保管具を提供する。【解決手段】釣り針４の針先端部５は、中空である保管具１の開口側面１ａに引っ掛ける。ハリス３はバネ２の鉤部２ｂに掛ける。このようにすると、バネ２がハリス３を引っ張って延ばし、ハリス３の長さが一目でわかる。【選択図】図１
2004350667.tif 000002
【特許請求の範囲】
【請求項１】
ハリスを備えた釣り針を保管する保管具であって、
上記釣り針を固定する固定部と、
上記ハリスの長さを目視可能に保持する保持部とを備えたことを特徴とする釣り針の保持具。
【請求項２】
ハリスを引き伸ばして保持する弾性部材を備えていることを特徴とする請求項１記載の釣り針の保持具。
【請求項３】
ハリスを備えた釣り針を保管する保管具であって、
上記釣り針を固定する固定部と、該釣り針先端部が人体に刺さることを防止する針先端刺さり防止部とを備えたことを特徴とする釣り針の保管具。
【発明の詳細な説明】
【０００１】
【発明の属する技術分野】
本発明は、ハリスを備えた釣り針を保管する保管具に関する。
【０００２】
【従来の技術】
ルアーを用いた釣りにおいては、以前は、魚がルアーを追ってきて、ルアーの後ろ側から食いつくと考えられていたため、三つ又の釣り針をルアーの後部に取り付けたものを用いていた。けれども、その後の調査によって、魚はルアーの前側（釣り糸に取り付けられて引っ張られる側）からルアーに食いつくことがほとんどであることが判明した。従って、釣り針はルアーの前側に取り付けた方が、魚が食いついたときの口への引っかかりがよく、確実に釣り上げられることがわかった。
このように現在では、ルアーの前側の取り付け環（以下、アイという）に釣り針を取り付けて釣るようになってきているが、釣る魚の種類や魚の活性の違い等によって、釣り針の大きさや釣り針全体の長さを変える必要がある。釣り針自体の長さを変えることは非常に困難なので、釣り針にハリスと呼ばれる糸を付けてその長さを変えることによって、釣り針とハリスとを合わせた全体の長さを変えている。なお、この釣り針にハリスを結びつけたものは、アシストフックと呼ばれている。
上述のように、釣りたい魚の種類や釣り場の状況などによって必要なハリスの長さが異なっているため、あらかじめ長さの異なるハリスを結んだ複数の釣り針を用意しておいて、釣り現場においてルアーに取り付け、そして交換して釣りをしてみて、最良のハリス長さを探っていくことになる。
【０００３】
【発明が解決しようとする課題】
しかしながら、ハリスの長さの異なる多数の釣り針（アシストフック）を、一つの箱に入れて持ち歩くと、釣り針やハリスが絡まって取り出しにくく指などに刺さりやすいとともに、全ての釣り針を箱から取り出して長さを比べてみないと、最適な長さのハリスが結びつけられた釣り針を選ぶことができなかった。
本発明は、このような課題を解決するためになされたものであり、その主な目的とするところは、釣り針とハリスとを合わせた全体の長さを一目で判別できる釣り針の保管具を提供することにある。また別の目的は、針先端が人体等に刺さらないように釣り針を保管する保管具を提供することにある。
【０００４】
【課題を解決するための手段】
上記の主な目的を達成するために、ハリスを伸ばして保持してその状態を目視できるようにした。また、上記別の目的を達成するため、針先端を隠す部分を備えるようにした。
具体的には、請求項１に係る発明は、ハリスを備えた釣り針を保管する保管具を対象とする。
そして、上記釣り針を固定する固定部と、上記ハリスの長さを目視可能に保持する保持部とを備えたものとする。
ここで、ハリスというのは、釣り針に直接結びつけられた短い釣り糸のことであって、釣り針とルアー、又は釣り針と道糸との間をつなぐ役割をするものである。即ち、請求項１に係る発明は、アシストフックの保管具である。
請求項１に係る発明の構成であれば、釣り針を固定するとともにハリスもその長さが目視でわかるように保持されるので、一目で釣り針とハリスとを合わせたアシストフック全体の長さを判別することができて、必要とする長さの釣り針をすぐに選ぶことができる。
釣り針を固定する固定部の固定方法としては、尖っている部分である針先端を突き刺す方法、針先端を小環やフック、板の縁等に引っかける方法、針先端を穴に差し込む方法、針の一部を溝部にはめ込んで固定する方法、針の全体又は一部をマジックテープ（Ｒ）や粘着テープ等で固定する方法などを挙げることができるが、針先端が他のものに突き刺さったり引っかかったりしないように、針先端を隠す隠蔽部を有する方法或いは針先端が他のものに触れないように邪魔物を設置したり、針の先端以外の部分が邪魔物として働くように固定する方法が好ましい。
ハリスを保持する保持部の保持方法としては、釣り針に結びつけられている端部とは反対側の端部を引っ張って保持する方法、粘着シート等にハリスを延ばした状態で粘着させる方法、重力によって鉛直下方に垂れ下がらせておく方法などを挙げることができる。
【０００５】
次に、請求項２の発明は、ハリスを引き伸ばして保持する弾性部材を備えていることを特徴とする請求項１記載の釣り針の保管具とする。
請求項２に係る発明の構成であれば、弾性部材がハリスを引き延ばして保持するため、ハリスは確実にその長さを目視可能な状態で保持される。
次に、請求項３の発明は、ハリスを備えた釣り針を保管する保管具を対象とする。
そして、上記釣り針を固定する固定部と、該釣り針先端部が人体に刺さることを防止する針先端刺さり防止部とを備えたものとする。
請求項３に係る発明の構成であれば、釣り針先端部が人体に刺さらないように釣り針を固定するので安全である。また、ハリスをそのまま垂らせば、ハリスの長さを比べることができる。さらに、ハリスを、その長さを目視可能に保持する保持部を備えていれば、ハリスの長さ確認が容易なので好ましく、ハリスを引き延ばして保持する弾性部材をさらに備えていればより好ましい。
【０００６】
【発明の実施の形態】
以下、本発明の実施の形態を図面に基づいて説明する。
（実施形態１）
図１に実施形態１の釣り針４の保管具１を示す。この保管具１は、長方形の板状であって且つ中空である部材から構成されている。その側面の一つ（図中右側の辺）１ａのみが開口していて、内部の中空部分と連通している。開口している側面１ａに対向する側面１ｂの内面側には、バネ（弾性部材）２の一端が固定されている。このバネ２は、保管具１の中空な内部を、固定された側面１ｂから開口側面１ａの方に延びていて、固定端と反対側の端部にはハリス３を引っ掛ける鉤部２ｂを備えている。この鉤部２ｂは、保管具１の上面１ｃに設けられた開口部８から該上面１ｃの上側に出ていて、ハリス３を引っ掛けやすくしている。そして、この開口部８は、バネ２に負荷が掛かっていない状態（ハリス３が引っかかっていない状態）における鉤部２ｂの位置から開口側面１ａの内側数ｃｍのところまで延びている。
【０００７】
上記保管具１に保管される釣り針４は、数ｃｍ程度の長さのハリス３を針先端５とは反対側の端部に結びつけられているアシストフックである。ハリス３の釣り針４に結びつけられているのとは反対側の端部には、ルアーのアイに取り付けるための環部６が形成されている。なお、図１（ａ）の下側のハリス３は、二本のハリス３を一つの環部６により連結している。従って、二本のハリス３付釣り針４がワンセットになっている。
【０００８】
この保管具１の使用方法を以下説明する。
まずハリス３の端部の環部６をバネ２の鉤部２ｂに引っ掛ける。それから、釣り針４の針先端５の部分を開口側面１ａの方に引っ張っていき開口側面１ａに引っ掛ける。このようにすることにより、釣り針４が固定されるとともに、ハリス３はその長さを釣り人が目視で容易に確認できるように保持される。つまり、開口側面１ａが固定部であって、バネ２が保持部である。また、開口側面１ａが固定部および針先端刺さり防止部として機能する。
本実施形態によれば、釣り針４が固定されハリス３がバネ２で引っ張られて保管具１の上面１ｃに保持されているので、全体の長さが一目で判明する。そして、バネ２，２，２が複数本並んでいるので、長さの異なる複数本のハリス３付き釣り針４（アシストフック）を並べて保管でき、それらの長さの違いを一目で判別することができる。また、針先端５が保管具１の中空な内部に隠されて固定されるので、人の体や衣服に突き刺さる危険がなく、他の釣り針４やハリス３と絡み合う恐れがない。なお、各バネ２，２，２の間に隔壁を設けると、バネ２，２，２同士が干渉することがなくなり、また保管具の強度が向上するので好ましい。また、バネ２，２，２の固定位置は、側面１ｂではなくてもよく、例えば上面１ｃおよび下面の内面側でもよい。
【０００９】
（実施形態２）
図２に実施形態２の釣り針４の保管具１を示す。本実施形態は、バネ１２の固定位置および押しバネ方式である点等が実施形態１と異なっていて、他の点は同じであるので、異なっている点について説明をする。
本実施形態では、保管具１の釣り針４の針先端５を引っ掛ける開口側面１ａよりも内部側にバネ１２の固定部１ｄが存していて、該固定部１ｄの開口側面１ａとは反対側にバネ１２の一端が固定されている。バネ１２の他端は、フリーであって鉤部１２ｂを備えている。この鉤部１２ｂは保管具上面１ｃに設けられた不図示の開口部から該上面１ｃの上側に出ている。ハリス３の環部６をこの鉤部１２ｂに引っかけて、バネ１２を押し縮めながら釣り針４を開口側面１ａの方に移動させて針先端５を開口側面１ａに差し込んで引っ掛ける。こうして釣り針４が固定されるとともに、ハリス３はその長さを釣り人が目視で容易に確認できるように保持される。
本実施形態の作用効果は実施形態１と同様である。
【００１０】
（実施形態３）
図３に実施形態３の釣り針４の保管具１を示す。本実施形態は、保管具１が中空ではない板状でバネ２２が保管具１の表面に取り付けられている点および針先端５を引っかけて固定する固定環９（固定部）が保管具１表面に設けられている点が実施形態１と異なっていて、他の点は同じである。実施形態１と同様の方法で釣り針４およびハリス３を固定する。針先端５を固定する固定環９は金属や樹脂等で作られ、保管具１の表面に垂直に固定されたリングである。この固定環９は針先端５を保管具１の表面側に固定し、釣り針４のハリス３を取り付ける部分を針先端５の上側に配して、このハリス３を取り付ける部分が針先端５を隠蔽して、人の指等が針先端５に触れないようにしている。こうして、固定環９と保管具１の板状部とが針先端刺さり防止部として機能して、針先端５が人体に刺さらないようにしている。
ここで、針先端５を固定する固定具として、固定環９以外のものを用いても構わない。例えば、保管具１の本体の板状部に穴を設けて、その穴を針先端５の固定用として用いれば、固定環９と同様の作用効果を奏する。また隣接するバネ２２同士の間に邪魔板等を設けて、バネ２２同士が絡まり合うのを防止することが好ましい。各バネ２２に筒を被せることも好ましい。さらに、バネ２２を取り付けている面を覆うカバーを備えていると、安全であるので好ましい。なお、本実施形態の作用効果は実施形態１と同様である。
【００１１】
（実施形態４）
図４に実施形態４の釣り針４の保管具１１を示す。本実施形態は、保管具１１が箱状である。この箱は、複数の四角筒２７，２７，…が互いに中心軸を平行にして並べられて連結した形状をしており、各筒２７，２７，…に一本あるいは一組の釣り針４（アシストフック）が保管される。各角筒２７，２７，…の側面が並んで形成されている保管具１１の側面２４は、内部に保管されたハリス３が視認できる程度の光透過性を有している。また、各筒２７，２７，…の一端側に釣り針４を掛ける。従って、ハリス３を下側にして垂らすとその長さを外側から確認でき、複数本の釣り針４を保管しているときには、それぞれの長さを容易に比較して必要な長さのハリス３を有する釣り針４を選ぶことができる。
この釣り針４を掛ける側には、釣り針４を掛ける各筒２７，２７，…の開口を覆う蓋２５が設けられている。この蓋２５は、各筒２７，２７，…の開口を覆うとともに、保管具１１の側面２４側に延びる保護部２５ａを有している。この保護部２５ａには、側面２４に固定するためのスナップ等の固定具２６ａが設けられ、側面２４にも対応する位置に固定具２６ｂが設けられている。
この保護部２５ａは釣り針４を固定して保管具１１から外れないようにする固定部としての役割と、針先端５を隠して人体に刺さらないようにする針先端刺さり防止部としての役割とを果たしている。
本実施形態の保管具１１は簡単な構造であるので、製造コストを低減することができる。
なお、釣り針４は側面２４に掛けなくても、各筒２７，２７，…同士の隔壁に掛けても構わない。
【００１２】
（実施形態５）
図５に実施形態５の釣り針４の保管具１１の一部を示す。本実施形態は、実施形態４において保管具１１の釣り針４を掛ける側面２４の上辺に切れ目２８，２８，２８が各筒毎に設けられているものである。この切れ目２８，２８，２８に釣り針４を差し込むことにより、釣り針４は固定される。なお、切れ目２８，２８，２８の形状は、釣り針４を差し込むことができて固定することができればどのような形状であっても構わない。また、切れ目２８，２８，２８を設ける場所も特に限定されない。その他の作用効果は実施形態４と同じである。
【００１３】
（実施形態６）
図６に実施形態６の釣り針４の保管具１１の一部を示す。本実施形態は、実施形態４において保管具１１の各筒の内側に釣り針４を掛ける固定部２９，２９，２９が設けられているものである。この固定部４に釣り針４を掛けることにより釣り針４は固定される。なお、固定部２９，２９，２９の形状、取付場所はどのようなものでもよい。その他の作用効果は実施形態４と同じである。
【００１４】
（実施形態７）
図７に実施形態７の釣り針の保管具３１を示す。本実施形態は、矩形のシートを中央で折り曲げた形状をしており、折り目３５を境に釣り針４を載せる主面３３とその主面３３の上面を覆う役目の蓋面３４とに分かれてなる。主面３３の折り目３５と直交する一辺近傍（図の上方）にはマジックテープ（Ｒ）３２がもうけられており、蓋面３４のそれと相対する部分にも同様にマジックテープ（Ｒ）３２が設けられている。主面３３と蓋面３４とのマジックテープ（Ｒ）３２を設けていない部分は略透明である。
本実施形態の保管具３１の使用方法は、まず主面３３のマジックテープ（Ｒ）３２の部分に釣り針４，４を載せ、ハリス３，３はマジックテープ（Ｒ）３２を設けていない部分に延ばして載せる。それから、主面３３の上に蓋面３４を重ねてマジックテープ（Ｒ）３２同士で固定する。このように固定することにより釣り針４，４が移動しないように固定される。つまり、マジックテープ（Ｒ）３２の部分が固定部の働きをし、さらに主面３３と蓋面３４とで釣り針４，４を隠すので、針先端刺さり防止部としても機能する。また、ハリス３，３は主面３３と蓋面３４との略透明な部分を通してその長さを視認することができる。
本実施形態では、ハリス３，３長さを外から容易に確認でき、釣り針４，４とハリス３，３とを合わせた全体の長さを一目で判別できる。また、針先端が人の体や衣服等に突き刺さるおそれがなく、他の釣り針４，４やハリス３，３と絡み合うおそれもない。なお、マジックテープ（Ｒ）３２は、主面３３および蓋面３４の全面に設けても構わない。また、マジックテープ（Ｒ）３２の代わりにシート状の磁石や粘着シート等を用いても構わない。
【００１５】
（実施形態８）
図８に実施形態８の釣り針の保管具４１を示す。本実施形態は、矩形のシートを中央で折り曲げた形状をしており、折り目４２を境に釣り針４を載せる主面４３とその主面４３の上面を覆う役目の蓋面４４とに分かれてなる。主面４３の折り目４２と直交する一辺近傍（図の上方）には釣り針４の位置を決める位置決め突起４５，４５，…が多数設けられている。これら位置決め突起４５，４５，…は折り目４２に対して略垂直に２列に並んでいる。蓋面４４の折り目４２と対向する外縁にはスナップ等の固定具４６ａ，４６ａ，４６ａが設けられ、蓋面４４を主面４３に覆い被せたときに固定具４６ａ，４６ａ，４６ａに対応する主面４３の位置に対になる固定具４６ｂ，４６ｂ，４６ｂが設けられ、これらの固定具４６ａ，４６ａ，４６ａ，４６ｂ，４６ｂ，４６ｂにより蓋面４４が主面４３に押しつけられて固定される。
【００１６】
本実施形態の保管具４１の使用方法を説明する。
主面４３の位置決め突起４５のところに釣り針４の湾曲部を掛けるようにして釣り針４を置く。ハリス３は折り目４２と略平行に、主面４３の位置決め突起４５が設けられていない部分へ延ばして置く。このようにして、必要な本数の釣り針４，４を主面４３に置いたら、蓋面４４を主面４３の上に被せて固定具４６ａ，４６ａ，４６ａ，４６ｂ，４６ｂ，４６ｂにより蓋面４４を主面４３に固定する。このようにすることにより、針先端が人体や服などに刺さったり、ハリス３がハリス３同士あるいは他の釣り具と絡まったりすることなく持ち運びできる。また、蓋面４４を開けることにより、各釣り針４，４のハリス３，３長さを容易に確認することができる。なお、蓋面４４を透明な素材で形成すれば、蓋面４４を閉じた状態でハリスの長さを確認することもできる。また、位置決め突起４５の代わりに別の固定部を用いても良く、例えば、主面４３にシートを載せて主面４３の縁部分で貼り合わせ、そのシートに切れ目をいれて、その切れ目に釣り針４を差し込んで固定しても良い。
【００１７】
（実施形態９）
実施形態９の釣り針４の保管具を上から見たところを図９に、横から見たところを図１０に示す。本実施形態の保管具５１は円筒形であり、その上縁に複数の切り込み５２，５２，…（ここでは８個）を設けている。この切り込み５２，５２，…に釣り針４を、針先端５を円筒内側であってかつ切り込み５２，５２，……から下側に向けて差し込んで固定する。これにより釣り針４は固定されるとともに、針先端５が円筒下部によって隠される。つまり、切り込み５２，５２，…が固定部の働きをし、円筒下部（切り込み５２，５２，…よりも下の部分）は針先端刺さり防止部の働きをしている。
また、ハリス３は、この保管具５１の側面に沿って垂らされるため、その長さは目視可能である。即ち、複数本の釣り針を固定したときには、それらのハリス３の長さを互いに比較することができ、必要な長さのハリス３を備えた釣り針４をすぐに選ぶことができる。
保管具５１の円筒下部は、針先端刺さり防止部としての機能を確実にするために、切り込み５２，５２，…下端より円筒下端までの距離が１０ｍｍ以下であることが好ましい。１５ｍｍ以上であればより好ましい。また、釣り針４の固定を確実にするために、弾性を有する樹脂およびゴムやスポンジ等の弾性体により保管具５１が形成されていることが好ましい。また、保管具５１の形状は、円筒に限定されず、多角筒や板状等でも構わない。
【００１８】
（実施形態１０）
図１１、図１２に実施形態１０の釣り針４の保管具６１を示す。なお、図１１は上面図、図１２は側面図である。本実施形態の保管具６１は、矩形の枠６３に弾性部材として輪ゴム６６を取り付けたものである。矩形の枠６３は長辺６３ａと短辺６３ｂとからなり、短辺６３ｂには枠６３の外方に向かって複数の突起６５，６５，…が設けられている。一方の短辺６３ｂの一つの突起６５にハリス３の端の環部６を掛けて、他方の短辺６３ｂの相対する突起６５に輪ゴム６６を引っ掛けて、この輪ゴム６６に釣り針４を引っ掛ける。このようにすると、釣り針４は輪ゴム６６を固定部として固定され、ハリス３は輪ゴム６６によって引き延ばされて保持され、ハリス３の長さが目視可能である。ハリス３を保持する保持部としては、突起６５が相当するが、輪ゴム６６も協同して長さを目視可能に保持している。このとき輪ゴム６６は、釣り針４を一つずつ引っ掛けるたびにそれぞれ準備して用いるようにしている。本実施形態の保管具６１は、構造が簡単であって製造が容易であり製造コストも安価にできる。また、図１２に示すように、針先端５は枠６３の上面よりも下側にあって、枠６３によって隠されている状態であるので、人体などに刺さることなく安全である。
本実施形態において、輪ゴム６６は一方の短辺６３ｂの各突起６５，６５，…に予め固定しておいても構わない。また、釣り針４を突起６５あるいは短辺６３ｂに引っ掛けて固定し、ハリス３の環部６の方を突起６５に引っ掛けた輪ゴム６６と連結するようにしても構わない。突起６５，６５，…の形状や大きさ、数などは特に限定されない。
【００１９】
（実施形態１１）
図１３は実施形態１１の釣り針４の保管具６１を示した図である。本実施形態の保管具６１は、矩形の枠６３の内側に複数のバネ２，２，２を取り付けたものである。バネ２，２，２の片端は、枠６３の一方の短辺６３ｂの内面側に固定され、他方の短辺６３ｂ側に延びているバネ２，２，２の他端には鉤部２ｂが設けられている。ハリス３の端の環部６をこの鉤部２ｂに引っ掛けて、バネ２，２，２が固定されていない短辺６３ｂの方に向かって釣り針４を引っ張っていき、その短辺６３ｂに釣り針４を引っ掛けて固定する。本実施形態の作用効果は、実施形態１０の作用効果と同様である。なお、釣り針４を引っ掛ける短辺６３ｂに釣り針４を掛けるための切り込みや、隣り合う釣り針４同士を離しておくための突起などを設けてもよい。
これまで説明してきた実施形態は例であって、本発明はこれらの例に限定されない。保管具１，１１，３１，４１，５１の素材は、樹脂、木材、金属などどのようなものでも構わない。また形状も矩形、多角形、楕円形、半円形等どのようなものでも構わない。掛けられる釣り針４の本数も特に限定されないが、複数本掛けられるように構成されていることが好ましい。
実施形態１，２において釣り針４の固定部は開口側面１ａに限定されず、上面１ｃに固定環などを設けてもよいし、上面１ｃに穴を開けてそこに釣り針を引っ掛けても良い。これらの場合は開口側面１ａが開口している必要はない。また、実施形態１，２，３において、バネ２，１２，２２の代わりにゴム等を用いても構わない。
実施形態４，５，６において、各筒２７，２７，…は円筒であってもよいし、各筒２７，２７，…の下端が開口していて、そこからハリス３が垂れ下がっていても構わない。
実施形態７，８において、マジックテープ（Ｒ）３２や位置決め突起４５を設けるのは、折り目３５，４２と平行な辺の近傍であってもよい。その場合には、該辺と折り目３５，４２との距離が２０ｃｍ以上あることが好ましい。
保管具１，１１，３１，４１，５１，６１は単体であってもよいし、釣り具の小物箱等に組み込まれていても構わない。特に実施形態１０，１１の保管具６１は、簡単な構造であるので、小物箱に一体に組み込みやすい。
【００２０】
【発明の効果】
本発明は、上述のように説明した形態で実施され、以下の効果を奏する。
釣り針を固定する固定部と、ハリスの長さを目視可能に保持する保持部とを備えているので、釣り針の全体の長さをすぐに確認できる。さらに、ハリスを引き延ばして保持する弾性部材を備えているので、ハリスの長さを確実に確認できる。また、釣り針先端部が人体に刺さることを防止する針先端刺さり防止部を備えているので、釣り針を安全に保管することができる。
【００２１】
【図面の簡単な説明】
【図１】
（ａ）は実施形態１に係る釣り針の保管具の上面図、（ｂ）は断面図である。
【図２】実施形態２に係る釣り針の保管具の断面図である。
【図３】実施形態３に係る釣り針の保管具の側面図である。
【図４】実施形態４に係る釣り針の保管具の斜視図である。
【図５】実施形態５に係る釣り針の保管具の要部斜視図である。
【図６】実施形態６に係る釣り針の保管具の要部斜視図である。
【図７】実施形態７に係る釣り針の保管具の斜視図である。
【図８】実施形態８に係る釣り針の保管具の斜視図である。
【図９】実施形態９に係る釣り針の保管具の上面図である。
【図１０】実施形態９に係る釣り針の保管具の断面図である。
【図１１】実施形態１０に係る釣り針の保管具の上面図である。
【図１２】実施形態１０に係る釣り針の保管具の側面図である。
【図１３】実施形態１１に係る釣り針の保管具の上面図である。
【符号の説明】
１                  保管具
１ａ                開口側面（固定部）
３                  ハリス
２，１２，２２      バネ（弾性部材、保持部）
４                  釣り針
５                  針先端部（釣り針先端部）
９                  固定環（固定部）
１１                保管具
３１                保管具
３２                マジックテープ（Ｒ）（固定部、針先端刺さり防止部）
４１                保管具
４５                位置決め突起（固定部）
５１                保管具
６１                保管具
６５                突起
６６                輪ゴム（弾性部材）
【図１】
2004350667.tif 000003
【図２】
2004350667.tif 000004
【図３】
2004350667.tif 000005
【図４】
2004350667.tif 000006
【図５】
2004350667.tif 000007
【図６】
2004350667.tif 000008
【図７】
2004350667.tif 000009
【図８】
2004350667.tif 000010
【図９】
2004350667.tif 000011
【図１０】
2004350667.tif 000012
【図１１】
2004350667.tif 000013
【図１２】
2004350667.tif 000014
【図１３】
2004350667.tif 000015